Podtech/llm-jp-corpus-v4-ja_patent huggingface dataset:
(57)【要約】【課題】芳香族化合物（ベンゼン等）の汚染物質の分解を完全に行うこと。【解決手段】芳香族化合物（ベンゼン等）の分解の為、オゾンを観測孔底よりバブリングし地下水下流域からポンプアップした浄化水を、再度反応観測孔に注入し汚染部分においてオゾンを含有した地下水と接触させベンゼンを分解する。【選択図】　図１
2004042009.tif 000002
【特許請求の範囲】
【請求項１】
地下水及び土壌に浸透したベンゼン（芳香族化合物）を分解浄化する方法
【請求項２】
化学工場等において存在するベンゼン（芳香族化合物）を分解浄化するための方法
【請求項３】
産業廃棄物処理場等に存在するベンゼン（芳香族化合物）を分解浄化するための方法
【発明の詳細な説明】
【０００１】
【発明の属する分野】
本発明は、ベンゼン（芳香族化合物）に汚染された地下水・土壌等からこれを分解浄化するために用いる方法で、環境汚染対策技術に属する。
【０００２】
【従来の技術】
従来の、ベンゼン（芳香族化合物）に汚染された地下水・土壌等の浄化技術は、繊維状活性炭による揮発性炭化水素（ベンゼン等）を除去する方法、エァースパージングによるベンゼン等を除去する方法等が主流である。
【０００３】
【発明が解決しようとする課題】
従来の方法は、揮発性炭化水素の複合汚染の場合には適すると考えられるが芳香族炭化水素（ベンゼン等）のみを対象とする場合にはコストの問題が生じる。
【０００４】
土壌中に空気を圧入する方法では、浄化対象としている土壌中は常に負圧となる様に土壌ガスを吸引する必要がある。
【０００５】
土壌を汚染している芳香族炭化水素（ベンゼン等）をその揮発性を利用する方法は、同時に有毒化合物をも揮発させることになるため、大気汚染を引き起こす可能性がある。
【０００６】
本発明は、芳香族炭化水素（ベンゼン等）の分解に伴う不測の化合物の生成や、生態系の破壊・反応中の危険性を排除するとともに低コストであることを目的とする。
【０００７】
【課題を解決するための手段】
上記目的を達成する為に本発明は、芳香族炭化水素（ベンゼン等）の分解にオゾンガス（Ｏ３）を用いるものであり反応はベンゼン等で汚染された土壌における観測孔を通してオゾンを注入しベンゼンの二重結合を遮断し、オゾニドからさらに加水分解によりグリオキサールにまで分解する。
【０００８】
【化学式Ｉ】
2004042009.tif 000003
【０００９】
【化学式ＩＩ】
2004042009.tif 000004
【００１０】
【図面の簡単な説明】
【図１】機器配置地層断面
【図２】機器配置平面
【符号の説明】
2004042009.tif 000005
ａ　　観測孔
ｂ　　揚水孔
ｃ　　オゾンボンベ
ｄ　　揚水ポンプ
【図１】
2004042009.tif 000006
【図２】
2004042009.tif 000007
(57)【要約】【目的】小さな発電で高効率な灯火の自転車前照灯【構成】車輪の中に磁石４を置き自転車の走行中、発電コイル３で発電をする。発電された電力を二次電池２で蓄え、消費電力の小さい発光ダイオード１で自転車の前照灯とする。昼夜の明暗を明暗センサ５で感知し、昼間自転車の走行中は充電され、夜間走行中灯火する。その制御をコンピューター又は制御器６で制御する。【選択図】　図１
2004042871.tif 000002
【特許請求の範囲】
【請求項１】
車輪（７）の中に磁石（４）を置き自転車の走行中、発電コイル（３）で発電をする。発電された電力を二次電池（２）で蓄え、消費電力の小さい発光ダイオード（１）で自転車の前照灯とする。昼夜の明暗を明暗センサ（５）で感知し、昼間自転車の走行中は充電され、夜間走行中のみ点灯する。その制御をワンチップマイコン（６）で制御する。停車中はワンチップマイコン（６）をスリープ状態にして二次電池の消費を抑えることを特徴とする。
【発明の詳細な説明】
【０００１】
【産業上の利用分野】
本発明は発光ダイオードを用いて自転車の前照灯とする照明装置の技術分野に属するものである。
【０００２】
【従来の技術】
白熱灯ランプは発光ダイオードに比べ消費電力が大きく、又、発電機がタイヤに接触して発電している為、自転車の走行中ペダルを踏むのに非常に重く感じられる。
【０００３】
【発明が解決しようとする課題】
本発明は自転車の走行中、ペダルを踏むのに軽く感じるためには、発電方法と制御方法が課題となる。
【０００４】
【課題を解決する為の手段】
本発明は上記課題を解決する為図１の如く構成する。発電方法として車輪（７）に取付けた磁石（４）と発電コイル（３）を無接触にして発電した為、走行中労力を感じることなく常に発電し、整流器Ｄ１〜Ｄ４を経て二次電池（２）に充電される。
【０００５】
次の課題として制御方法にワンチップマイコン（６）を使用する。図２の如くワンチップマイコン（６）は二次電池（２）より電源供給を受け、入力側に自転車の走行を感知する入力（ＩＮ１）、明暗センサ（５）を検知する入力（ＩＮ２）を入力ポートとして接続し、出力側の（ＯＵＴ１）に前照灯の発光ダイオード（１）を、（ＯＵＴ２）に明暗センサ（５）用の電源を接続する。
【０００６】
ワンチップマイコン（６）は自転車の停車中は図３の示す様に常にスリープ状態になっている。ワンチップマイコン（６）のスリープ状態は、消費電力が零に等しく、従って二次電池（２）の消費はほとんどない。自転車の走行で発電コイル（３）に電圧が発生すると、その信号はダイオードＤ５を通じて走行感知信号がワンチップマイコン（ＩＮ１）に入り、スリープ状態からウェークアップする。ウェークアップしたマイコンは明暗センサ（５）に電力を（ＯＵＴ２）から供給する。明暗センサ（５）は周囲の照度に応じて電圧を発生させマイコンに入力する（ＩＮ２）。周囲が暗いと発光ダイオード（１）を点灯する。周囲が明るいと発光ダイオード（１）を消灯してスリープ状態に入り電力の消費を抑える。
【０００７】
【作用】
以上説明したように本発明は人為的な操作によらず、走行中は無接触発電で二次電池（２）に充電し停車中は二次電池（２）の放電を抑える、そして夜間、自転車の無灯火運転を防ぎ、安全走行の確保ができる省エネ前照灯である。
【図面の簡単な説明】
【図１】本発明の構成図
【図２】本発明の電気回路図
【図３】本発明のワンチップマイコンのフローチャート
【符号の説明】
１　発光ダイオード
２　二次電池
３　発電コイル
４　磁石
５　明暗センサ
６　ワンチップマイコン
７　車輪
【図１】
2004042871.tif 000003
【図２】
2004042871.tif 000004
【図３】
2004042871.tif 000005
(57)【要約】【課題】この発明は，トラック走行中に前方からとんで来る石を防止するものである。【解決手段】アクリル板本体（１）を，吸ばん付取り付け金具（２）４本と取り付け金具（３）２コでトラックのフロントガラス下部分に取り付ける。【選択図】　図１
2004042877.tif 000002
【特許請求の範囲】
【請求項１】
（イ）トラックの，フロントガラスの下部分にアクリル板本体（１）を取り付ける。
（ロ）アクリル板本体（１）の，中央部分に，２本の取り付け金具（３）を使用して取り付ける。
（ハ）アクリル板本体（１）の，両端部分，４ヶ所を吸ばん付取り付け金具（２）で取り付ける。
以上の如く構成された，とび石防止パネル。
【発明の詳細な説明】
【０００１】
【発明の属する技術分野】
この発明は，トラックの，フロントガラス下部分にアクリル板を取り付けて，とび石を，防止するものである。
【０００２】
【従来の技術】
従来はフロントガラスのとび石は，防ぎようのないもので，割れた部分を，１つ１つ修理するか，フロントガラスを，交換するしか方法はなかった。
【０００３】
【発明が解決しようとする課題】
したがって，使用者は，フロントガラスの，とび石のたびに修理代や高額な，フロントガラスの交換代が必要だった。
こうした使用者の強い要望にこたえるために発明されたのである。
【０００４】
【課題を解決するための手段】
いま，その構成を説明すると，
（イ）トラックの，フロントガラスの下部分にアクリル板本体（１）を取り付ける。
（ロ）アクリル板本体（１）の，中央部分は，２本の取り付け金具（３）で取り付ける。
（ハ）アクリル板本体（１）の両端部分４ヶ所を，吸ばん付取り付け金具（２）を使用して，取り付ける。
以上のように，とび石防止パネルを，装置する。
【０００５】
【発明の実施の形態】
次に本発明の実施の形態を述べると，トラック走行中，前方からとんでくる石を，フロントガラスの下部分に取り付けた，アクリル板本体（１）で，とび石を防ぎ，フロントガラスに，きずを付けない。
【０００６】
【発明の効果】
だからアクリル板本体（１）で，とび石を防止するため高額なフロントガラス代や，修理代が不必要になる。
【図面の簡単な説明】
【図１】本発明の斜視図
【図２】本発明の使用斜視図
【符号の説明】
１　アクリル板本体
２　吸ばん付取り付け金具
３　取り付け金具
【図１】
2004042877.tif 000003
【図２】
2004042877.tif 000004
(57)【要約】［課題］　カッコウも悪く作業の妨げになり無装着で命を落とすことを解消するためにベルト方式救命具を提供する。［解決手段］救命具を腰に装着することによって、手軽に使用できるため作業の妨げにならなく人命を守ることができるようにした。【選択図】　図１
2004042874.tif 000002
【特許請求の範囲】
【請求項１】
浮輪をベルト内に折り畳み腰に装着する事により、目立たなく、行動にも支障のない救命具。
【発明の詳細な説明】
【０００１】
［発明の属する技術分野］
本発明は、装着時に抵抗なく使用できるために、肩掛式から腰装着式に変え緊急時にヒモを引き、又は水圧感知器で自動的に浮輪が膨らむようにしたものである。
【０００２】
［従来の技術］
従来は、腰に装着する救命具はなかった。
【０００３】
［発明が解決しようとする課題］
救命具が義務付けられるようになる今日、カッコウも悪く又作業の妨げになり無装着で命を落とすことがあるという問題点があった。本発明は、この課題を解消するためになされたものである。
【０００４】
［課題を解決するための手段］
救命具を腰に装着して常はベルト内に浮輪８を収納して、緊急時に緊急ヒモ７を引く又は水圧感知器６より設定深さで膨らませるようにし、手軽に使用できるため作業の妨げにならなく人命を守る事ができるようにした。
【０００５】
［発明の実施の形態］
（イ）ベルトに浮輪を収納してバックルの中にエアーバック方式のガスを格納し、緊急ヒモ又は水圧感知器によってベルト内部に浮輪を収納する。
（ロ）バックルの内部にエアーバック方式のガスと緊急ヒモ又水圧感知器を取付ける。
（ハ）緊急時にベルト内部の浮輪を膨らませる。
［発明の効果］
ベルトのため装着が簡単で事故のときバクルのヒモをことにより瞬時に浮輪が膨らむためおぼれる事なく救助を待つことができる。
【図面の簡単な説明】
【図１】本発明の姿図である。
【図２】本発明のベルト部分の正面図である。
【図３】本発明の使用状態を示す断面図である。
【符号の説明】
１　ライフジャケット
２　ライフベルト
３　バックル
４　エアーバックガス
５　浮輪収納口
６　水圧感知器
７　緊急ヒモ
８　浮輪
【図１】
2004042874.tif 000003
【図２】
2004042874.tif 000004
【図３】
2004042874.tif 000005
(57)【要約】［課題］この発明は自動車のフロントガラスと運転席ドアガラスを覆い直射日光や霜を防ぐものに関するものである［解決手段］シート（１）の左右に筒状のガイド（２）羽（３）を形成してガイド（２）に取り出し部（４）張り抜き（５）ポケツト（１２）羽（３）に吸盤（６）を設ける中央部で切断した広げバー（８）に蝶番（１１）で接合し両端部に連結部（１０）を設け広げバー（８）を形成しガイド（２）に広げバー（８）を差込連結部（１０）にゴムバンド（９）を装着してフロントガラスとドアガラスを覆う【選択図】　図１
2004042868.tif 000002
【特許請求の範囲】
【請求項１】
シート（１）のガイドより出た羽を有した形状シート
【請求項２】
２本のバーの接合部蝶番取付け位置と連結金具取付け方向を反対方向にずらした広げバー
【発明の詳細な説明】
【０００１】
［発明の属する技術分野］
この発明は自動車のフロントガラスとドアガラスを覆い直射日光霜を防ぐものに関するものである
【０００２】
［従来の技術］
シートの角々に吸盤を用いたシートでフロントガラスを覆つていた又今まで運転席ドアガラスを覆うことが出来なかつた
【０００３】
［発明が解決しようとする課題］
これは次のような決点がある
１）シートをフロントガラス面に広げるとき吸盤セツトに手間がかかる又すき間が出来風が入り易く捲くれる
２）運転席ドアガラスに霜が付きミラーが見えない
３）気温が低いとシートをはずしたときフロントガラスが直ぐ曇る
【０００４】
［課題を解決するための手段］
１）シート（１）の左右に筒状のガイド（２）羽（３）を形成してガイド（２）に取り出し部（４）張り抜き（５）ポケツト（１２）羽（３）に吸盤取り付け穴（６）を設ける（ポケツト（１２）には保温剤を入れる）
シート全体の隅を折り曲げミシン縫いす
２）中央部で切断した広げバー（８）に蝶番（１１）で接合し両端部に連結金具（１０）を設け広げバー（８）を形成す
３）ゴムバンド（９）の両端部をリング状にして先端部を固定す
シート（１）のガイド（２）の内部に広げバー（８）を入れ取り出し部（４）に連結金具（１０）を合わせゴムバンド（９）のリングを連結金具に通し広げバー（８）にリングを引っ掛けゴムバンドを装着す
【０００５】
［発明の実施の形態］
次に本発明の実施の形態を述べるとフロントガラスと運転席ドアガラスを覆うため
１）シート（１）の左右に筒状のガイド（２）羽（３）を形成すガイド（２）に取り出し部（４）張り抜き（５）ポケツト（１２）を設け羽（３）に吸盤取り付け穴（６）に吸盤を装着す
２）中央部で切断した広げバー（８）に蝶番（１１）で接合し両端部に連結金具（１０）を設け広げバー（８）を形成す蝶番（１１）の取付位置と連結金具（１０）の方向は反対側１８０度ずれた位置に設ける
３）ガイド（２）の内部に広げバー（８）を入れ取り出し部（４）に連結金具（１０）を合わせリングの付いたゴムバンド（９）を装着して成る
４）シート（１）の筒状のガイドを設けず直接広げバーを固定する方法
５）中央部で切断せず一本状の広げバーを取り付ける方法
【０００６】
［発明の効果］
広げバー（８）でシート（１）をフロントガラス面に広げゴムバンド（９）で張りドアミラーに引っ掛ける運転席ドアガラスを羽（３）で覆い吸盤で固定する簡単な作業で鳥居シートは蜜着しゴムバンドの弾力で安定す
広げバー（８）はゴムバンドで連結金具を引っ張ると蝶番と接合部には反対の力がかかり接合部が密着し一本状の棒と同じ作用をする
フロントガラスを保温することで曇りも減る　使用後は広げバーを折り畳収納を容易にする
【図面の簡単な説明】
【図１】本発明の斜視図
【図２】本発明の広げバーの斜視図
【符号の説明】
１・・シート　　　　　　　　　　７・・
２・・ガイド　　　　　　　　　　８・・広げバー
３・・羽　　　　　　　　　　　　９・・ゴムバンド
４・・取り出し部　　　　　　　１０・・連結部
５・・張り抜き　　　　　　　　１１・・蝶番
６・・吸盤　　　　　　　　　　１２・・ポケツト
【図１】
2004042868.tif 000003
【図２】
2004042868.tif 000004
(57)【要約】【課題】自動車の運転手に飲酒運転に対する自覚を促し事故を減らすことを目的とした装置である。【解決手段】自動車の運転席の１部にアルコール検知器　１　を取り付け自動車の外周数箇所にライト　２　を取り付けそれらをコイル　３　により連動させアルコールを感知したらライトが点灯するようにする、そのことにより離れた場所にいて車内に飲酒者が居る事がわかり運転者に注意を促すことになる。【選択図】　　　図１
2004042867.tif 000002
【特許請求の範囲】
【請求項１】
自動車の運転席にアルコール検知器（１）を取り付けそれと連動させ自動車の外周数箇所にライト（２）を取り付けアルコールを感知したらコイル（３）によって連動されたライトが点灯するようにして離れている場所から飲酒運転が見分けられるようにする、そのことにより運転者に注意を促し飲酒運転をさせないようにすることを目的にした装置である。
【発明の詳細な説明】
【０００１】
［発明の属する技術分野］
【０００２】
この発明はアルコール検知器の利用方法に関する件である。
［従来の技術］
従来は警察官が全車両を停車させ運転手の吐く息をアルコール検知器によって飲酒運転検査をしていた。
【０００３】
［発明が解決しようとする課題］
しかしながら、以上の従来技術によると車を停車させないと車内に飲酒者が居ることが分からずその為警察官の労力と時間がかかり飲酒運転を見逃す事が多かった。そこでこの発明は全車両を停車させずに車内に飲酒者が居るのを確認することを課題とする。
【０００４】
［課題を解決するための手段］
以上の課題を解決するために、請求項１の発明はアルコール検知器を車内の一部に取り付けそれに連動させて自動車の外周数箇所にライトを取り付けアルコールを感知したら点灯するようにする、それによって自動車から離れた場所から車内に飲酒者が居ることが分かりその車だけ停車させ飲酒運転の有無を検査できるようにすることを目的とした装置である。
【０００５】
［発明の実施形態］
この発明の一実施形態を、図１に示す。
図中１の部分にアルコール検知器を取り付ける
図中２の部分数箇所にライトを取り付ける
図中３は１と２を連動させる為のコイルである。
【０００６】
［実施形態の効果］
本発明は次のような効果がある。
（イ）飲酒運転の検査をする場合全車両を止めなくて良い。
（ロ）この実施形態によれば従来より飲酒運転に対する意識が変わり飲酒運転による交通事故が激減する効果があるとおもわれる。
【図１】
2004042867.tif 000003
【手続補正書】
【提出日】平成14年12月24日(2002.12.24)
【手続補正１】
【補正対象書類名】明細書
【補正対象項目名】図面の簡単な説明
【補正方法】変更
【補正の内容】
【図面の簡単な説明】
【図１】この発明の一実施形態を示す斜視図である。
【符号の説明】
１　アルコール検知器
２　ライト
３　コイル


【手続補正２】
【補正対象書類名】図面
【補正対象項目名】全図
【補正方法】変更
【補正の内容】
【図１】
2004042867.tif 000004
(57)【要約】【課題】操作性を向上し、安価に製造することを可能とする。【解決手段】上部に段ボール箱等の荷物Ｂと結合するための紐３かベルト状の保持体を通すことのできる穴２と荷物Ｂ底面に接着する面４を持つキャスター。大きさや重さで歩行困難となるような持ち帰り商品を購入した際に低コストで簡易に取り付けることによって、従来のわずらわしさを感じることなく簡単に持ち帰ることができる。また、その大きさや重さでその日購入することを諦めざるを得なかったケースについても購入の余地が発生するので、消費者の購買意欲を失うことなく販売店側にとってもメリットがある。消費者側も何度も買いに行く手間と時間と交通費が省ける。キャスターと段ボール箱等の荷物Ｂを粘着材と紐３とで二重に固定するので持ち帰りの際に路面の凹凸による荷崩れの防止もできるので、実用上顕著な効果が見込める。【選択図】　　図５
2004042869.tif 000002
【特許請求の範囲】
【請求項１】
上部に段ボール箱等の荷物と結合するための紐かベルト状等の保持体を通すことのできる挿通部と前記荷物に接着する面を持つキャスター。
【請求項２】
上部に段ボール箱等の荷物に接着するための面と粘着テープで荷物にとめるフランジ部とを備えたキャスター。
【発明の詳細な説明】
【発明の属する技術分野】
本発明は、段ボールに梱包された持ち帰り商品等に簡易に取り付け可能なキャスターに関する。
【従来の技術】
従来キャスターの取り付け部分はネジ式か差込式で直接取り付け固定するものが多く、紐等で簡易に取り付けられるものはなかった。
【発明が解決しようとする課題】
従来段ボールに梱包された持ち帰り商品においては購入時に紐等を掛けプラスチックの持ち手を付けて貰って持ち帰るのが通常であるが、その重量や大きさ等は持ち運ぶには困難が伴うので不便を感じていた。
販売店に配送を依頼できるところもあるが、配送料が購入者の負担であったり、配達日・時間の都合がつかず、直ぐ使用したくて購入したのになかなか使用に至らないという不都合も発生していた。
また、従来のキャスターは相当な重量のある物体に取り付け使用できるよう対応しているので、その分コスト高となり、キャスターの取り付け部分に関してはネジ式或いは差込式となっているため段ボール素材に簡易に取り付けることが出来なかった。
本発明は、操作性が良く、耐久性があり、安価な施錠装置の提供を課題とする。
【課題を解決するための手段】
上記の問題点を解決するために本発明はキャスターの取り付け部分をネジ式或いは差込式ではなく、取り付け対象物との間に接着結合面を設け、その部分に粘着材を用いて固定し、かつその部分に挿通部を設けて紐で再度固定することによって段ボールに梱包された購入商品とキャスターが外れたりすることなく持ち帰ることを可能とさせた。
【発明の効果】
本発明は、大きさや重さで歩行困難となるような持ち帰り商品を購入した際に低コストで簡易に取り付けることによって、従来のわずらわしさを感じることなく簡単に持ち帰ることができる。
その大きさや重さでその日購入することを諦めざるを得なかったケースについても購入の余地が発生するので、消費者の購買意欲を失うことなく販売店側にとってもメリットがある。消費者側も何度も買いに行く手間と時間と交通費が省ける。
また、キャスターと段ボールを粘着材と紐とで二重に固定するので持ち帰りの際に路面の凹凸による荷崩れの防止もできるので、実用上顕著な効果が見込める。
【発明の実施の形態】
本発明は、上部に取り付け対象物の底面と接着し、かつずれ防止のために紐等を通す穴を設けた構造を持つキャスターである。
本発明の実施例を図面に基づいて説明すると、図１から図５までは順にキャスターの側面図、正面図、平面図、斜視図、取付状態図である。
図１から図５のように、キャスターは、矩形のベースプレート１を備えている。ベースプレート１には、挿通部、例えば一対の穴２が設けられている。穴２は図５で示す保持体としての紐３を通してベースプレート１を荷物としての段ボール箱Ｂに取り付けるためのものである。保持体は、紐３の他にベルトでも良い。ベースプレート１にはその上面４に粘着材が設けられている。粘着材の表面は、キャスター使用前において蝋紙が貼付されており、荷物に取り付ける際に蝋紙を剥がし、粘着面を露出させる。５は転輪、６はカバーである。
取り付け時は、まずキャスターのベースプレート１の蝋紙を剥がし紐３をキャスターの穴に通してから段ボール箱Ｂの底部に貼り付ける。紐３を締め回し、把持具７を取り付ける。
従って把持具７を把持し、キャスターにより荷物Ｂを走行運搬することができる。このため、段ボール内に水等の入ったペットボトルが数本入り、重量があって女性などでは抱えて持ち運ぶのに苦労する場合でも、前記走行運搬により極めて簡単に運ぶことができる。
図６は他の実施形態に係るキャスターの正面図である。この図６の紐通し部８（挿通部）を構造に持つことにより紐を通す前にキャスターを段ボール箱に取り付けられるので、取り付け作業をより簡単にすることができる。
また図７も他の実施形態に係るキャスターの正面図である。ベースプレートの挿通部の形状をスリット９にすることにより、キャスターを段ボールに取り付け、紐を段ボールに周回させた後でも紐を挿通部に引っ掛けるようにして挿通させることが可能になるので取り付け作業がより一層簡素化される。尚、挿通部には紐を挿入し易く、かつ外れないようにするための導入部１０と紐のずれ防止のための溝１１を設けた。
更に図８も他の実施形態に係るキャスターの斜視図である。紐等を使用することなく粘着テープ等で荷物とキャスターを接着結合させるためのフランジ部１２をベースプレートに設けた。
【図面の簡単な説明】
【図１】本発明の一実施形態に係るキャスターの側面図である。
【図２】一実施形態に係るキャスターの正面図である。
【図３】一実施形態に係るキャスターの平面図である。
【図４】一実施形態に係るキャスターの斜視図である。
【図５】一実施形態に係るキャスターの取り付け状態図である。
【図６】他の実施形態に係るキャスターの正面図である。
【図７】他の実施形態に係るキャスターの正面図である。
【図８】他の実施形態に係るキャスターの斜視図である。
【符号の説明】
１　　ベースプレート
２　　穴（挿通部）
３　　紐（保持体）
８　　紐通し部（挿通部）
９　　スリット（挿通部）
１０　導入部
１１　溝
１２　フランジ部
１３　粘着テープ（ガムテープ）
Ｂ　　段ボール箱（荷物）
【図１】
2004042869.tif 000003
【図２】
2004042869.tif 000004
【図３】
2004042869.tif 000005
【図４】
2004042869.tif 000006
【図５】
2004042869.tif 000007
【図６】
2004042869.tif 000008
【図７】
2004042869.tif 000009
【図８】
2004042869.tif 000010
(57)【要約】　　　（修正有）【課題】伸縮を単純に行うネジ軸モーターの提供。【解決手段】モーター軸６に穴をあけ管にし内面をメネジ７にしたネジ軸モータでオネジの伸縮を行う。【選択図】　図１
2004042239.tif 000002
【特許請求の範囲】
【請求項１】
モーター軸６に穴をあけ管にし内面をメネジ７にしたネジ軸モータ。
【発明の詳細な説明】
【０００１】
【産業上の利用分野】
ロボットなど。
【０００２】
【従来の技術】
オイル式、歯車など。
【０００３】
【本考案が解決しようとする課題】
伸縮を単純に行う。
【０００４】
【問題点を解決するための手段】
モーターの軸をメネジにする。
【０００５】
【作用】
ステッピングモーターなどを回転すると、オネジが移動する。
【０００６】
【実施例】
ロボットのアーム。
【０００７】
【考案の効果】
単純構造。
【０００８】
【図面の簡単な説明】
【図１】構造図。
【図２】利用状況図。
【符号の説明】
１　　軸受け及カバー
２　　コア
３　　磁石
４　　コイル
５　　リード線
６　　軸
７　　メネジ
８　　オネジ
９　　ネジ軸モーター
１０　アーム
１１　軸ピン
【図１】
2004042239.tif 000003
【図２】
2004042239.tif 000004
(57)【要約】【課題】端部まで均一な配向性を液晶に付与し、画面全体の表示特性を均一に保った液晶表示装置を提供する。【解決手段】表示部周囲を囲む見切りを配置し、該見切りに対応する領域の対向基板にダミーカラーフィルターを配置する。【選択図】　　　なし【特許請求の範囲】
【請求項１】
画素電極、スイッチング素子、走査線、表示線及び第１の配向制御膜を備えた電極基板、該電極基板に対して間隔をおいて配置し、該画素電極に対して対向配置した対向電極、カラーフィルター及び第２の配向制御膜を備えた対向基板、並びに、該間隔に配置した液晶を有する液晶表示装置において、上記電極基板側に、画素電極、スイッチング素子、走査線、表示線及び第１の配向制御膜を有し、上記対向基板側に、対向電極、カラーフィルター及び第２の配向制御膜を有する表示部と、
該表示部の周囲を囲んで配置してなる見切りとを有し、
上記見切りと上記電極基板との間であって、上記見切りに対応した領域の上記対向基板にダミーカラーフィルターが配置されていることを特徴とする液晶表示装置。
【発明の詳細な説明】
【０００１】
【発明の属する技術分野】
本発明は、画像等の表示を行う液晶表示装置に関する。
【０００２】
【従来の技術】
液晶表示装置に要求される特性は近年より厳しくなり、画像品質においても、通常のＣＲＴ画面と同等のレベルが要求されている。液晶表示装置においては、使用した液晶の配向性を制御することが表示画像の品質を左右する大きな要因であり、表示部のどの部分においても均一に最適な状態に配向させることが必要となる。一般には配向制御膜を液晶面に設けて該液晶の配向性を制御している。
【０００３】
【発明が解決しようとする課題】
液晶の配向性は、上記配向制御膜表面に段差が有った場合、その段差部分で変化して不均一になってしまう。液晶表示装置でカラー表示を行う場合、対向電極側の基板には各画素毎に赤（Ｒ）、緑（Ｇ）、青（Ｂ）の何れかのカラーフィルターが付設されるが、端部においては隣接フィルターがないために段差を生じてしまう。
【０００４】
【課題を解決するための手段及び作用】
本発明は上記問題を解決し、端部まで均一な配向性を液晶に付与し、画面全体の表示特性を均一に保った液晶表示装置である。
【０００５】
即ち本発明は、画素電極、スイッチング素子、走査線、表示線及び第１の配向制御膜を備えた電極基板、該電極基板に対して間隔をおいて配置し、該画素電極に対して対向配置した対向電極、カラーフィルター及び第２の配向制御膜を備えた対向基板、並びに、該間隔に配置した液晶を有する液晶表示装置において、
上記電極基板側に、画素電極、スイッチング素子、走査線、表示線及び第１の配向制御膜を有し、上記対向基板側に、対向電極、カラーフィルター及び第２の配向制御膜を有する表示部と、
該表示部の周囲を囲んで配置してなる見切りとを有し、
上記見切りと上記電極基板との間であって、上記見切りに対応した領域の上記対向基板にダミーカラーフィルターが配置されていることを特徴とする液晶表示装置である。
【０００６】
本発明においては、表示部の外側にダミー部を設けて、表示部と同じ段差の電極と、ダミーカラーフィルターと、配向制御膜とからなる積層体を設けることにより、表示部と同じ条件を施し、液晶の配向性を均一に保つ。
【０００７】
本発明において、ダミー部は表示部周囲に形成すれば良く、その広さは、走査線或いは表示線にして５本分程度が好ましい。
【０００８】
本発明において好ましくは、上記ダミー部は表示部と同じ構成、即ち配線、スイッチング素子、画素電極等を有するダミー画素を形成し、各画素電極は電圧が印加されないように、電気的に絶縁状態にしておく。このようにダミー画素を形成することによって同じ段差形状を構成すると、表示部の各画素の製造工程をそのまま広げれば良く、余分の工程が不要であるため製造が容易である。
【０００９】
また、上記電気的に絶縁状態とは、特に限定されず、製造工程に合わせて適宜選択すれば良い。例えば、スイッチング素子がトランジスタの場合、走査線及び表示線とのコンタクトを取らずにおくことで絶縁状態にできる。また、部分的に配線を断線させたり、端部において駆動回路と結線しなければそのまま絶縁状態になる。
【００１０】
また、ダミー部と同じ領域に遮光部を設けることによって、ダミー部を完全に黒色化して、画面の引き締めを行う。
【００１１】
本発明の具体的な構成は後述の参考例において詳しく説明するが、該実施例のアクティブマトリクス方式に限らず応用することができる。
【００１２】
【実施例】
以下本発明を参考例により具体的に説明するが、本発明がこれらに限定されるものではない。
【００１３】
参考例１
図１に本発明に用いうる電極基板（ＴＦＴ基板）を示す。図中１は表示線、２は走査線、３はＴＦＴ（薄膜トランジスタ）素子、４は画素電極、５は水平シフトレジスタ、６は垂直シフトレジスタ、７で示される行及び７’で示される列はダミー画素、８×８’で示される部分が表示部である。各ダミー画素はＴＦＴ素子３のゲート或いはソースと走査線２或いは表示線１とのコンタクトを取らずに電気的に絶縁状態に置かれている。本参考例は、スイッチング素子にＴＦＴを用い、表示線及び走査線各２本ずつをダミー画素とした例である。
【００１４】
参考例２
図２に本発明第２の参考例を示す。図２は本参考例の装置の端部である。図中２１はＴＦＴ基板、２２〜２２”は絶縁層、２３、２３’は配向制御膜、２４は液晶、２５は封止材、２６は対向電極、２７はカラーフィルター、２８は偏光板、２９は見切り板である。
【００１５】
本図において、右３個分の画素電極４がダミー画素で各画素電極に接続されたＴＦＴ素子（不図示）は走査線及び表示線とコンタクトを取っているが、該走査線或いは表示線を駆動回路と接続せずにダミー画素のみ電気的に絶縁状態に置いている。一方、これに対応する右３個分のカラーフィルター２７がダミーカラーフィルターである。このように、表示部の周囲をダミー部で囲むことにより画面端部においても中心部と同様の配向性が得られる。
【００１６】
【発明の効果】
以上説明したように、本発明の液晶表示装置は、表示部の周囲にダミー部を形成したことにより、液晶の配向性が画面端部まで均一に制御され、高品質の画像を画面全面にむらなく表示することができる。
【図面の簡単な説明】
【図１】本発明の第１の参考例を示す図である。
【図２】本発明の第２の参考例を示す図である。
【符号の説明】
１　表示線
２　走査線
３　ＴＦＴ素子
４　画素電極
５　水平シフトレジスタ
６　垂直シフトレジスタ
７、７’　ダミー画素
８、８’　表示部
２１　ＴＦＴ基板
２２〜２２”　絶縁層
２３、２３’　配向制御膜
２４　液晶
２５　封止材
２６　対向電極
２７　カラーフィルター
２８、２８’　偏光板
２９　見切り板
【図１】
2004004913.tif 000002
【図２】
2004004913.tif 000003
(57)【要約】【課題】眼鏡をかけ易くて、かけ心地が快適なものにすることができるにすることができる眼鏡フレームにおけるテンプルのしのみ構造を提供する。【解決手段】眼鏡フレーム１におけるテンプル５の後部に、耳６へかかって眼鏡を支持するように設けたしのみ８であって、このしのみ８は、中央部に長さ方向の透孔１１を設けて枠状とし、肌への接触状態を改善するとともに、肌に当る部分の一部または全部に、マイナスイオン発生鉱物の粉末等を練り込んだマイナスイオン発生層を設けた。【選択図】　　　　図１
2004004310.tif 000002
【特許請求の範囲】
【請求項１】
眼鏡フレームにおけるテンプルの後部に、耳へかかって眼鏡を支持するように設けたしのみであって、
このしのみは、中央部に長さ方向の透孔を設けて枠状とし、肌への接触状態を改善されている
ことを特徴とする眼鏡フレームのテンプルしのみ構造。
【請求項２】
前記しのみは、肌に当る部分の一部または全部に、マイナスイオン発生鉱物の粉末等を練り込んだマイナスイオン発生層を設けてある
ことを特徴とする請求項１記載の眼鏡フレームのテンプルしのみ構造。
【発明の詳細な説明】
【０００１】
【発明の属する技術分野】
本発明は、眼鏡フレームのテンプルしのみ構造に関する。
【０００２】
【従来の技術】
眼鏡フレームのテンプルしのみは、テンプルの後部へ耳にかかるように設けられて、眼鏡を正しい取付位置に保持する重要な機能を果たすものである。
【０００３】
しかしながら、このしのみは様々なデザインのものが見られても、眼鏡のかけ易さ、快適なかけ心地など機能的な配慮をしたものは少ない状態である。
【０００４】
【考案が解決しようとする課題】
本発明は上記問題点を解消し、眼鏡をかけ易くて、かけ心地が快適なものにすることができる眼鏡フレームのテンプルしのみ構造を提供することをその課題としている。
【０００５】
【課題を解決するための手段】
前記課題を解決するため、本発明に係る眼鏡フレームにおけるテンプルのしのみ構造は、以下の要件を備えていることを特徴とする。
（１）眼鏡フレームにおけるテンプルの後部に、耳へかかって眼鏡を支持するように設けたしのみであって、
このしのみは、中央部に長さ方向の透孔を設けて枠状とし、肌当り等を改善されていること。
（２）前記しのみは、肌に当る部分の一部または全部に、マイナスイオン発生鉱物の粉末等を練り込んだマイナスイオン発生層を設けてある。
【０００６】
【発明の実施の形態】
図１において符号１は眼鏡フレームを示す。この眼鏡フレーム１は、レンズ２の周囲を囲むリム３と、このリム３の外端にヒンジ４によって起伏自在に取り付けたテンプル５と、テンプル５の後部に図３に示す頭部６の耳７へかかるように設けたしのみ８と、リム３の下側に図３に示す頭部６の鼻９（図３参照）へ当るように取付けた鼻当て１０とを備える。
【０００７】
前記しのみ８は、図１、図２に示す通り、中央部に長さ方向の透孔１１を設けて枠状構造とし、前記透孔１１の周囲がほぼ平均に頭部６の肌に接触して、当り面の増大により接触の面圧を軽減させると共に、透孔１１の部分に僅かながら肌が食い込む現象を生じて、テンプルの支持力を補助する作用をする。
【０００８】
また、中央部に透孔１１を設けて枠状としたしのみ８は、ソリッド構造のしのみに比べて弾力性が増すため、眼鏡をかける際に、図３に示す頭部６の最大幅Ｌをしのみ８が越える際、弾性により撓んでこの部分を容易に乗り越えるため、するりとスムーズに眼鏡がかけられて、しかも、しのみ８は、頭部６の最大幅Ｌを越えると、弾性により復元して肌に当接して適度な支持力を発揮し、ずれ易い眼鏡を適正位置に保持するが、肌を過剰に圧迫して血行の不良を起させるようなことはない。
【０００９】
更に、前記しのみ８は、肌に接触する内側の部分に、図２に示すように下側だけの一部分か、下側と上側の全部かに、マイナスイオンを発生する鉱石の粉末等を練りこんだアセテートシートなどを貼り着けて、マイナスイオン発生層１２を形成する。このマイナスイオン発生層１２は、これに接触する頭部６の部分や近傍にマイナスイオンを放射して、マイナスイオンの作用により血行の増進等を行なう効果を上げる。
【００１０】
【発明の効果】
（１）　透孔を設けて枠状にしたしのみは、肌への当り面が増大されて、適度な弾力性も付与されるため、眼鏡をするりとスムーズにかけることができて、かけた後は眼鏡を適正位置に安定に保持できて、しかも、肌の圧迫による血行障害等も起さないため、快適な眼鏡の使用ができる。
（２）　しのみに設けたマイナスイオン発生層は、これに接触する部分と、その近傍に対してマイナスイオンの効能を有効に作用させる。
【図面の簡単な説明】
【図１】本発明に係るテンプルしのみ構造を採用した眼鏡フレームの平面図。
【図２】テンプルのしのみ構造を拡大して示す側面図
【図３】頭部と眼鏡フレームとの関係を示す説明図
【符号の説明】
１　眼鏡フレーム
２　テンプル
７　耳
８　しのみ
１１　透孔
１２　マイナスイオン発生層
【図１】
2004004310.tif 000003
【図２】
2004004310.tif 000004
【図３】
2004004310.tif 000005
(57)【要約】【課題】従来のフォーカス方式は、直流またはステッピングモータがレンズ群または感光物体パッケージを移動させ、フォーカス動作を進める。そのため、伝動機構が複雑になり、その結果、レンズの価格が高価になり、デジタルカメラのコストも高価となる。そこでデジタルカメラのオートフォーカス機構を簡素化し、製造コストを下げ、製品の競争力を向上させること。【解決手段】デジタルカメラのオートフォーカス機構であって、感光物体パッケージの容置室上端に設けられた感応コイルと、感光物体の上端に配置された磁性物体と、感光物体の下端に、かつ容置室の底部に結合された弾性物体とからなる。【選択図】　　図３
2004004253.tif 000002
【特許請求の範囲】
【請求項１】
デジタルカメラのオートフォーカス機構であって、感光物体パッケージの容置室上端に設けられた感応コイルと、感光物体の上端に配置された磁性物体と、感光物体の下端に、かつ容置室の底部に結合された弾性物体とからなることを特徴とするデジタルカメラのオートフォーカス機構。
【請求項２】
前記磁性物体の端が導槽に当たっており、導槽の上端には凸部があることを特徴とする請求項１記載のデジタルカメラのオートフォーカス機構。
【請求項３】
前記弾性物体は盤形スプリングであることを特徴とする請求項１記載のデジタルカメラのオートフォーカス機構。
【発明の詳細な説明】
【０００１】
【発明の属する技術分野】
本発明は、デジタルカメラのオートフォーカス機構に関し、さらに、詳しくは、感応コイルを利用し、磁性物体と感光物体を同時に移動させるオートフォーカス調整を完成させる機構に関する。
【０００２】
【従来の技術】
図１で示すように、現行のデジタルカメラはレンズ筒１０、レンズ座２０および感光物体パッケージ３０から構成される。そのレンズ筒１０には多くのレンズ（群）１１とフォーカスレンズ１２が配置される。感光物体パッケージ３０の上端にはガラス３１があり、ガラス３１の下方に容置室３２があり、感光物体３３がある。オートフォーカスが進行するとき、モータおよび伝動機構がフォーカスレンズ１２を移動させ、フォーカス動作を進めるが、感光物体パッケージ３０は動かない。
図２で示すように、別種の現行デジタルカメラのオートフォーカス機構は、フォーカスレンズはなく、レンズ（群）１１は不動である。モータと伝動機構は、感光物体パッケージ３０を移動させフォーカス動作を進める。
【０００３】
【発明が解決しようとする課題】
上述した２種の従来のフォーカス方式は、直流またはステッピングモータがレンズ群または感光物体パッケージを移動させ、フォーカス動作を進める。そのため、伝動機構が複雑になり、その結果、レンズの価格が高価になり、デジタルカメラのコストも高価となる。
そこで、本発明は、デジタルカメラのオートフォーカス機構を簡素化し、製造コストを下げ、製品の競争力を向上させることを目的とする。
【０００４】
【課題を解決するための手段】
前記目的を達成するため、本発明は、デジタルカメラの感光物体パッケージの容置室上端に感応コイルを配置し、感光物体の上端は磁性物体と結合し、下端は弾性物体と結合するものであり、オートフォーカスが進行するとき、マイクロプロセッサが感応コイルを通る電流を制御し、それによって生じる磁力と磁性物体の磁力が排斥し合う力が、磁性物体と感光物体を移動させ、それによりフォーカス動作を進めるものである。
【０００５】
【発明の実施の形態】
本発明の実施の形態の一例を図面に基づいて説明する。
図３で示すように、本発明では図２に示す従来技術を改良した。図２に示す従来技術ではモータが複雑な伝動機構を利用して感光物体パッケージ３０を移動させる構造になっている。本発明は、感光物体パッケージ４０の容置室４２上端に感応コイル４３があり、感光物体４４の上端は磁性物体４５と結合し、下端は弾性物体４６と結合する。磁性物体４５の端部は導槽４２１に当たり、導槽４２１の上端には凸部分４２２があり、磁性物体４５の移動位置を制限する。弾性物体４６は盤形バネを利用しているものであり、その上端は容置室４２の底部にある。
【０００６】
図４で示すように、本発明では、弾性物体４６が感光物体４４の下方に配置され、弾性物体４６の弾力作用で感光物体４４は最初の位置を保持する。このときレンズ筒５０のフォーカスは遠距離無限大になっていてレンズ筒５０は固定されている。デジタルカメラがオートフォーカスをスタートするとき、マイクロプロセッサが感応コイル４３を通る電流を制御し、それにより生じる磁力と磁性物体４５の磁力との排斥力により、磁性物体４５とそれに結合している感光物体４４の位置が下に移動する。制御する電流の大小で感光物体４４の移動量が制御されオートフォーカス動作が進行する。このとき、感光物体４４は弾性物体４６を圧迫する。フォーカス完成後、感応コイル４３の通電を止めると、磁力が無くなり、磁性物体４５とそれに結合された感光物体４４は弾性物体４６の弾力を受けて元の位置に戻る
【０００７】
【発明の効果】
本発明ではレンズ筒の光学機構は簡素化され、レンズ筒とレン座は結合する
。その為複雑な伝動機構やモータは不要となり、製造コストの大幅な低減を実現し、体積も小型になり、構造の設計も容易となる。
【図面の簡単な説明】
【図１】従来のデジタルカメラオートフォーカス方式を示す図である。
【図２】従来の他のデジタルカメラオートフォーカス方式を示す図である。
【図３】本発明のオートフォーカス動作を示す図である。
【図４】本発明のオートフォーカス動作を示す図である。
【符号の説明】
１０　　　レンズ筒
１１　　　レンズ
１２　　　フォーカスレンズ
２０　　　レンズ座
３０　　　感光物体パッケージ
３１　　　ガラス
３２　　　容置室
３３　　　感光物体
４０　　　感光物体パッケージ
４１　　　ガラス
４２　　　容置室
４２１　　導槽
４２２　　凸部分
４３　　　感応コイル
４４　　　感光物体
４５　　　磁性物体
４６　　　弾性物体
５０　　　レンズ筒
６０　　　レンズ座
【図１】
2004004253.tif 000003
【図２】
2004004253.tif 000004
【図３】
2004004253.tif 000005
【図４】
2004004253.tif 000006
(57)【要約】【課題】洗って繰り返し使用できる生理用布ナプキンで、肌に触れる部分は凹凸のないパッドもしくはホルダーで、パッドを装着した場合、ホルダーは汚れにくい布ナプキン、かつ、モレを防止し、さわやかで快適に過ごせる布ナプキンを提供すること。【解決手段】パッドにポケットを付け１、それをホルダー２にかぶせることにより、肌に触れる面に凹凸ができない。かつ、ホルダーの汚れを防止する。また、パッドの方にポケットをつけることにより、ホルダーのみで使用した時も、肌に触れる面に凹凸ができない。本来、パッドの中に入っている防水シート３を、分離することにより、経血量が多い時のみ、それをホルダーとパッドの間に挟んで使用し、経血量の多くない時は、はずしてよりさわやかで快適な布ナプキンとして使用できる。【選択図】        図７
2004337204.tif 000002
【特許請求の範囲】
【請求項１】
布製パッドとパッドを裏面から保持し下着に装着するためのホルダーとを備え、ホルダーを包み込むことができるように、パッドの裏面にポケットを付けたことを特徴とする生理用布ナプキン。
【請求項２】
パッドとホルダーの間に防水シートを挟んだことを特徴とする請求項１記載の生理用布ナプキン。
【発明の詳細な説明】
【０００１】
【発明の属する技術分野】
この発明は、女性の生理時、およびおりもの用として、洗って繰り返し使用できる布ナプキンの形状に関する。
【０００２】
【従来の技術】
従来の洗って繰り返し使用できる布ナプキンの形状は、図４に示すように、ホルダーにポケットが付けられたもの。あるいは、ホルダーに固定用のひもを付けたもの、ホルダーが直接肌にあたるもの、パッドを止める手段のないものである。
【０００３】
防水シートに関しては、パッドもしくはホルダーの中にあらかじめ入っているもの。あるいは、防水シートが全くないものである。
【０００４】
【発明が解決しようとする課題】
しかしながら、従来の技術によれば、肌に触れる面に凹凸があり、しかも、ホルダーが汚れやすい。また、パッドを止める手段のないものは、パッドがずれたり転落することがある。
防水シートに関しては、パッドもしくはホルダーの中に入っているものは、経血量の少ない時はムレてしまう。また、防水シートが入っていないものは、経血量が多い時に漏れてしまう。という問題点があった。
本発明は、肌に触れる面に凹凸ができず、パッドのみの交換で清潔に使えて、経血量の少ない時にムレずに、経血量の多い時に漏れない生理用布ナプキンを提供することを課題としている。
【０００５】
【課題を解決するための手段】
上記課題を解決するため本発明の生理用布ナプキンは、パッドの裏面にポケットを付け、ホルダーを包み込むことができるようにしたものである。
また、防水シートをパッドとホルダーの間に挟んだ生理用布ナプキンである。
【０００６】
【発明の実施の形態】
この発明の形態を図面を参照にして説明する。
図１はポケットの付いたパッドで、表面（１ａ）は、有機栽培綿から成り，裏面（１ｂ）は、無漂白・無蛍光綿から成る。図２はパッドを支えるホルダーで、表面（２ａ）は、有機栽培綿から成り、裏面（２ｂ）は、模様プリント綿である。図３は、パッドとホルダーを装着した形態である。
【０００７】
図６は防水シートで、ポリエステルまたは綿から成る。図７は、パッドとホルダーの間に防水シートを挟んで装着した形態である。
【０００８】
【発明の効果】
この形態によれば、図３に示すように、肌に触れる面に凹凸ができない。
【０００９】
さらに、パッドがホルダーを全て覆うため、経血でホルダーが汚れることも防いでくれるので、パッドのみの交換で清潔に使える。
【００１０】
また、経血量が少なく、ホルダーのみで使用する場合があっても肌に触れる面に凹凸ができない。
【００１１】
パッドのポケットで固定されるので、ずれたり転落する心配がない。
【００１２】
経血量の多い時のみ、図７に示すように、防水シートをパッドとホルダーの間に挟んで使用できるので、経血量がさほど多くなく、防水シートを必要としない時は、防水シートをはずして図３に示すように使用できるので、よりさわやかで快適に過ごすことができる。
【図面の簡単な説明】
【図１】この発明の形態である、ポケットを付けたパッドを示す。１ａが表面、１ｂが裏面を示す。
【図２】この発明の形態である、パッドを支えるホルダーを示す。２ａが表面、２ｂが裏面を示す。
【図３】この発明の形態である、パッドとホルダーを装着した断面図である。
【図４】従来技術の一形態を示す、パッドとホルダーである。共に表面である。
【図５】従来技術の一形態である図４を装着した断面図である。
【図６】防水シートを示す。
【図７】この発明の形態である、パッドとホルダーの間に防水シートを挟んで装着した断面図である。
【図１】
2004337204.tif 000003
【図２】
2004337204.tif 000004
【図３】
2004337204.tif 000005
【図４】
2004337204.tif 000006
【図５】
2004337204.tif 000007
【図６】
2004337204.tif 000008
【図７】
2004337204.tif 000009